(57)【要約】【課題】ケーブルテレビ放送において、受信端末装置が契約加入者宅外にあることを検出して、契約加入者宅外にある受信端末装置に対して視聴制限できる宅内受信端末システムを提供する。【解決手段】ケーブルテレビのデジタル放送を受信する主端末装置（１００）と副端末装置（２００）とが宅内ネットワーク（３００）にリンク接続される宅内受信端末システム（１０００）において、前記副端末装置（２００）のリンク検出部（１０９）は宅内ネットワーク（３００）とのリンク接続状態を検出し、端末制御部（１０７）は検出されたリンク接続状態に基づいてテレビ受信チューナ（１０１）の活性／不活性を制御する。【選択図】図１
2008271363.tif 000002
【特許請求の範囲】
【請求項１】
ケーブルテレビのデジタル放送を受信する主端末装置と副端末装置とが宅内ネットワークにリンク接続される宅内受信端末システムであって、
前記副端末装置は、
前記デジタル放送を受信するテレビ受信チューナ手段と、
前記宅内ネットワークとのリンク接続状態を検出して通知するリンク検出手段と、
前記通知に基づいて、前記テレビ受信チューナ手段の活性／不活性を制御する端末制御手段とを備える宅内受信端末システム。
【請求項２】
前記主端末装置と前記副端末装置とが前記宅内ネットワークとリンク接続できない場合には、前記端末制御手段は前記テレビ受信チューナ手段を不活性にすることを特徴とする請求項１に記載の宅内受信端末システム。
【請求項３】
前記宅内ネットワークは第１の認証情報を備え、
前記主端末装置は、
第２の認証情報と、
当該第２の認証情報が前記第１の認証情報と同一でない場合には、前記宅内ネットワークにネットワーク接続しない第１のネットワーク手段とを備え、
前記副端末装置は、
第３の認証情報と、
当該第３の認証情報が前記第１の認証情報と同一でない場合には、前記宅内ネットワークにネットワーク接続しない第２のネットワーク手段とを備える請求項２に記載の宅内受信端末システム。
【発明の詳細な説明】
【技術分野】
【０００１】
本発明は、ケーブルテレビ放送局とテレビ受信機能と宅内ネットワークのインタフェース機能を有して複数台数の加入者契約された複数の端末装置で構成される宅内受信システムに関する。
【背景技術】
【０００２】
ケーブルテレビ放送においては、１加入当たり１台の受信端末装置が契約されることが多い。しかしながら、昨今は、異なる部屋での番組視聴或いは多チャンネル視聴の為に、複数台の受信端末装置を契約する加入者も増えつつある。このような加入者に対して、ケーブルテレビ放送事業者は、複数台の受信端末装置を貸出し提供している。
【０００３】
しかし、複数台の受信端末装置の加入契約では、受信端末装置の台数分の料金が課金されるので、契約者の料金負担額および割高感も大きい。そのために、ケーブルテレビ放送事業者は、２台目以上の受信端末装置に対する課金額が低く抑えられる契約体系を設定して割高感の解消と共に複数台の受信端末装置加入契約の促進を図っている。
【０００４】
同一地域や同一集合住宅のような同一サービス地域範囲内において、テレビ放送はケーブルテレビ回線上に伝送されている。よって、ユーザはＣＡＳ（限定受信）システムで保護される受信方式の受信端末装置をケーブルテレビ回線に接続すれば、テレビ放送を視聴できる。ケーブルテレビ放送事業者は、同一宅内用として複数台の受信端末装置を契約する加入者に対しては、同一の受信端末装置を契約台数だけ加入者に貸し出す。
【０００５】
しかしながら、図４に示すように、加入者はこのように貸し出された複数台の受信端末装置の１台（副端末装置Ａ）以上を、ケーブルテレビ回線が敷設されている非加入者（ＣＡＴＶ受信非契約宅）に、ケーブルテレビ放送事業者（ケーブルテレビ局）に無断で貸し出すことができる。この場合、加入者あるいは非加入者は本来、ケーブルテレビ放送事業者に１代目の受信端末装置に対する料金を支払わずにケーブルテレビ放送を不正に視聴することになる。つまり、契約に基づく受信端末が不正に利用されることにより、ケーブルテレビ放送事業者は正規の料金を受け取ることができない。
【０００６】
ケーブルテレビ放送事業者が加入者に、同一宅内用として貸し出した複数台の受信端末装置が、契約に反して不正利用されるのを防止する技術（例えば、特許文献１参照）が提案されている。同技術においては、加入者契約宅に貸出された複数台の受信端末装置は、主端末装置と副端末装置として管理される。これらの主端末装置、および副端末装置では、ケーブルテレビで放送される番組などの不正コピー、および契約により視聴が許可された受信端末装置以外での放送番組の視聴を防止するとともに、１加入者宅内では自由に記録済み番組の視聴ができる。
【０００７】
図５に、上述の主端末装置と従端末装置の構成例を示す。ケーブルテレビ回線上では、スクランブルされたテレビ番組が配信されて、加入者契約の主端末装置に配信される。主端末装置ではスクランブルされたテレビ番組を視聴するための視聴キーが生成されて、ユーザのテレビ番組の視聴を可能にする。また、主端末装置は副端末装置を管理するための副端末装置視聴許可ＩＤを含む視聴キーを生成して複数台目の副端末装置に通知する。副端末装置は通知された視聴キーと、自身の固有ＩＤに基づいて、副端末装置が主端末装置と所定の関係にあることが分かれば、主端末装置を経由して配信されるテレビ番組をデスクランブルしてユーザの視聴に供することができる。
【特許文献１】特開平１０−３２２６７６号公報
【発明の開示】
【発明が解決しようとする課題】
【０００８】
しかしながら、上述の視聴キーに基づく視聴制限も、非加入者宅に不正に貸し出された副端末装置がケーブルテレビ回線上にあれば無効である。よって、本発明は、ケーブルテレビ放送において、受信端末装置が契約加入者宅外にあることを検出して、契約加入者宅外にある受信端末装置に対して視聴制限を行うことを可能とする宅内受信端末システムを提供することを目的とする。
【課題を解決するための手段】
【０００９】
上記目的を達成するために、本発明は、
ケーブルテレビのデジタル放送を受信する主端末装置と副端末装置とが宅内ネットワークにリンク接続される宅内受信端末システムであって、
前記副端末装置は、
前記デジタル放送を受信するテレビ受信チューナと、
前記宅内ネットワークとのリンク接続状態を検出して通知するリンク検出手段と、
前記通知に基づいて、前記テレビ受信チューナの活性／不活性を制御する端末制御手段とを備える。
【００１０】
前記主端末装置と前記副端末装置とが前記宅内ネットワークとリンク接続できない場合には、前記端末制御手段は前記テレビ受信チューナを不活性にすることが好ましい。
【００１１】
前記宅内ネットワークは第１の認証情報を備え、
前記主端末装置は、
第２の認証情報と、
当該第２の認証情報が前記第１の認証情報と同一でない場合には、前記宅内ネットワークにネットワーク接続しない第１のネットワーク手段とを備え、
前記副端末装置は、
第３の認証情報と、
当該第３の認証情報が前記第１の認証情報と同一でない場合には、前記宅内ネットワークにネットワーク接続しない第２のネットワーク手段とを備えることが好ましい。
【発明の効果】
【００１２】
本発明は、副端末装置の宅内ネットワークのリンク接続状態を検出して、副端末装置のケーブル回線を介したテレビ配信を受信するテレビ受信機能の活性／不活性を制御することによって、副端末装置の不正受信を防止できる。
【発明を実施するための最良の形態】
【００１３】
以下に、図１、図２、および図３を参照して、本発明の実施の形態にかかる宅内受信端末装置システムについて説明する。図１に示すように、宅内受信端末システム１０００において、主端末装置１００および副端末装置２００はＬＡＮ回線Ｌｌａｎによって宅内ネットワーク３００に接続され、更に当該宅内ネットワーク３００を介して互いにリンクされる。
【００１４】
主端末装置１００は、ＣＡＴＶチューナ部１０１、復調部１０２、パケット分離部１０３、ＣＡＳモジュール部１０４、デスクランブル部１０５、デコード部１０６、端末制御部１０７、ネットワーク部１０８、リンク検出部１０９、リモコンＩＦ部１１０、ケーブルモデム部（図面では「ＣＭ部」と表示）１１１および認証情報部１２０を含む。ＣＡＴＶチューナ部１０１は、ケーブルテレビ回線Ｌｃａｔｖ（不図示）によってケーブルテレビ放送局Ｂｃａｔｖ（不図示）から配信されるテレビ放送を受信する。復調部１０２は、ＣＡＴＶチューナ部１０１で選局されたテレビ番組を復調して放送ストリームを出力する。パケット分離部１０３は、復調部１０２から出力される放送ストリームをパケット分離して、映像ストリームとＣＡＳ情報を抽出する。
【００１５】
ＣＡＳモジュール部１０４は、パケット分離部１０３で抽出されたＣＡＳ情報を復号化情報ＩＤとしてデスクランブル部１０５に供給する。デスクランブル部１０５は、複合情報ＩＤに基づいて、パケット分離部１０３から出力された映像ストリームを復号してデコード部１０６に供給する。デコード部１０６は、復号された映像ストリームをデコード処理してテレビ信号Ｓｔｖとして出力する。
【００１６】
端末制御部１０７は、主端末装置１００のテレビ機能、特にＣＡＴＶチューナ部１０１を制御する。ネットワーク部１０８は、宅内ネットワーク３００とのリンク通信を制御する。リンク検出部１０９は、ネットワーク部１０８の宅内ネットワーク３００とのリンク接続の状態を検出して、端末制御部１０７に通知する。リモコンＩＦ部１１０は、ユーザの操作に基づいて外部で生成されて主端末装置１００に対して送信されるリモコン信号を受信する。ケーブルモデム部１１１は、ケーブルテレビ放送局と主端末装置１００との間の通信制御を行なう。認証情報部１２０は、ネットワーク部１０８を介して宅内ネットワーク３００に接続する際の副端末装置２００との認証情報ＩＲを保持する
【００１７】
副端末装置２００は、ＣＡＴＶチューナ部２０１、復調部２０２、パケット分離部２０３、ＣＡＳモジュール部２０４、デスクランブル部２０５、デコード部２０６、端末装置制御部２０７、ネットワーク部２０８、リンク検出部２０９、リモコンＩＦ部２１０、および認証情報部２２０を含む。ＣＡＴＶチューナ部２０１は、ケーブルテレビ放送局から配信されるテレビ放送を受信する。復調部２０２は、ＣＡＴＶチューナ部２０１で選局されたテレビ番組を復調する。
【００１８】
パケット分離部２０３は、復調部２０２から出力される放送ストリームをパケット分離する。ＣＡＳモジュール部２０４は、パケット分離部２０３で抽出されたＣＡＳ情報に基づいて復号化情報を生成する。デスクランブル部２０５は、パケット分離部２０４から出力された映像ストリームをＣＡＳモジュール部２０４で生成された復号化情報に基づいて復号する。
【００１９】
デコード部２０６は、デスクランブル部で復号された映像ストリームをデコード処理してテレビ信号Ｓｔｖとして出力する。端末装置制御部２０７は、副端末装置２００のテレビ機能、とくにＣＡＴＶチューナ部２０１を制御する。ネットワーク部２０８は、宅内ネットワーク３００とのリンク通信を制御する。リンク検出部２０９は、ネットワーク部２０８と宅内ネットワーク３００とのリンク接続状態を検出して端末装置制御部２０７に通知する。
【００２０】
リモコンＩＦ部２１０は、ユーザの操作に基づいて外部で生成されて副端末装置２００に対して送信されるリモコン信号を受信する。認証情報部２２０は、ネットワーク部２０８を介して宅内ネットワーク３００に接続する際の主端末装置１００との認証情報を保持する。
【００２１】
次に、図２を参照して、１台の主端末装置１００とｎ（ｎは２以上の整数）台の副端末装置２００＿１〜２００＿ｎで構成される宅内受信端末システム１０００の動作について簡単に説明する。なお、ｎ台の副端末装置２００＿１〜２００＿ｎを副端末装置２００と総称する。
【００２２】
宅内受信端末システム１０００は、契約者の同一宅（以降、「契約者宅」）内に設置されると共に、ケーブルテレビ回線Ｌｃａｔｖによってケーブルテレビ放送局Ｂｃａｔｖに接続されている。つまり、ケーブルテレビ回線Ｌｃａｔｖ上に主端末装置１００と副端末装置２００＿１〜２００＿ｎとが接続されている。主端末装置１００および副端末装置２００は、それぞれネットワーク部１０８および２０８を介してＬＡＮ回線Ｌｌａｎによって宅内ネットワーク３００に接続されている。なお、ケーブルテレビ回線Ｌｃａｔｖにはテレビ番組が配信されている。テレビ番組は、主端末装置１００および副端末装置２００のＣＡＴＶチューナ部１０１および２０１に供給されている。
【００２３】
主端末装置１００は、ケーブルモデム部１１１によって、ケーブルテレビ放送局Ｂｃａｔｖとの通信制御を行う。主端末装置１００は、さらに、ケーブルテレビ放送局Ｂｃａｔｖの要求に応じて、副端末装置管理情報をケーブルモデム部１１１を介してケーブルテレビ放送局Ｂｃａｔｖに通知する。副端末装置管理情報は、加入契約している副端末装置２００の管理に関する情報である。
【００２４】
次に、図３を参照して、主端末装置１００と副端末装置２００とが宅内ネットワーク３００を介してリンク接続されるシーケンス手順について説明する。なお、リンク接続は、それぞれの端末装置に保持されている固有の認証情報に基づいて実現される。つまり、主端末装置１００と副端末装置２００とは認証情報に基づいて、宅内ネットワーク３００に接続される。そして同一の認証情報が用いられる宅内ネットワーク３００に接続している端末装置（主端末装置１００や副端末装置２００）間でリンクできる。
【００２５】
まず、主端末装置１００が宅内ネットワーク３００を介して他の端末装置（副端末装置２００）にリンクするためのリンク手順の一例を以下に説明する。契約者宅内に設置されている主端末装置１００の電源がＯＮにされると、主端末装置１００は宅内ネットワーク３００に接続するために宅内ネット接続要求を行う。同宅内ネット接続要求に応答して、宅内ネットワーク３００は送信されたリンク要求パスワード要求を主端末装置１００に送信する。主端末装置１００は、宅内ネットワーク３００からのリンク要求パスワード要求を受信すると、認証情報部１２０から契約者宅の固有の認証情報であるリンクパスワードを宅内ネットワーク３００に対して発行してリンク接続を試みる。
【００２６】
次に、副端末装置２００が宅内ネットワーク３００を介して他端末装置（主端末装置１００）にリンクするためのリンク手順の一例を説明する。加入者宅内或いは加入者宅外に設置されている副端末装置２００の電源がＯＮにされると、副端末装置２００は宅内ネットワーク３００に接続するために宅内ネット接続要求を行う。同宅内ネット接続要求に応答して、宅内ネットワーク３００は、リンク要求パスワード要求を副端末装置２００に送信する。
【００２７】
副端末装置２００は、リンク要求パスワード要求を受信すると、認証情報部２２０から契約者宅の固有の認証情報であるリンクパスワードを宅内ネットワーク３００に発行してリンク接続を試みる。このように、主端末装置１００と副端末装置２００は各々宅内ネットワーク３００と接続してリンク接続の確立を試行する。
【００２８】
宅内ネットワーク３００上で、主端末装置１００および副端末装置２００が同一の認証情報（パスワード）を保持する場合に、主端末装置１００と副端末装置２００との間で宅内ネットワーク３００上でのリンク接続が確立される。結果、主端末装置１００と副端末装置２００とは宅内ネットワークを介して通信可能になる。
【００２９】
そして、副端末装置２００において、リンク検出部２０９は宅内ネットワーク３００と主端末装置１００との間のリンク状況を検出して端末装置制御部２０７に通知する。端末装置制御部２０７は、同通知に基づいて、主端末装置１００とのリンク接続確立と判断する場合には、副端末装置２００のＣＡＴＶチューナ部２０１の動作を許可する。このようにして、複数台契約されている副端末装置２００が主端末装置１００とが同一宅内に設置されている場合に、副端末装置２００に対してケーブルテレビ回線Ｌｃａｔｖ上のテレビ放送配信を受信できるように制御できる。
【００３０】
一方、ネットワーク部２０８が、リンク検出部２０９からの通知に基づいて、副端末装置２００は主端末装置１００とのリンク接続が不確立であると判断する場合には、端末装置制御部２０７はＣＡＴＶチューナ部２０１を起動させない。このように、副端末装置２００が主端末装置１００と同一宅内に設置されていても、宅内ネットワーク３００上での認証情報（パスワード）が異なる場合は、副端末装置２００はケーブルテレビ回線Ｌｃａｔｖ上のテレビ放送配信を受信できないように制御される。
【００３１】
なお、主端末装置１００と副端末装置２００とが同一宅内に設置されていない場合は、主端末装置１００が接続される宅内ネットワーク３００は、副端末装置２００が接続される宅内ネットワーク３００とは異なる。よって、主端末装置１００と副端末装置２００とはリンク接続が確立されないので、副端末装置２００によるケーブルテレビ放送の受信が制限される。
【００３２】
上述のように、本発明にかかる宅内受信システムにおいては、副端末装置のネットワークのリンクを検出できないときに副端末装置のケーブル回線のテレビ配信を受信するテレビ受信機能を不活性にし、同一宅内に設置する複数台数の加入契約のみのテレビ受信機能を活性にする。また、副端末装置は、加入契約者外のケーブル回線に接続されても、加入者契約宅の主端末装置と宅内ネットワークを介しても宅内ネットワークには接続できない。よって、リンクが検出できない副端末装置のテレビ受信機能を不活性化することによって、不正なテレビ放送受信を防止できる。
【産業上の利用可能性】
【００３３】
本発明は、複数台契約された受信端末装置に対して優遇料金を適応するケーブルテレビ放送システムに適用できる。
【図面の簡単な説明】
【００３４】
【図１】本発明にかかる宅内受信システムの構成を示すブロック図
【図２】図１に示した宅内受信システムの動作説明図
【図３】図１に示した宅内受信システムにおける主端末装置および副端末装置が宅内ネットワークにリンク接続する場合のシーケンス図
【図４】従来のケーブルテレビ放送システムにおける副端末装置の不正利用の説明図
【図５】従来のケーブルテレビ放送システムにおける副端末装置の不正利用を防止する主端末装置および従端末装置の構成を示すブロック図
【符号の説明】
【００３５】
１００    主端末装置
１０１    ＣＡＴＶチューナ部
１０２    復調部
１０３    パケット分離部
１０６    ＣＡＳモジュール部
１０４    デスクランブル部
１０５    デコード部
１１１    ケーブルモデム部
１０７    端末制御部
１０８    ネットワーク部
１０９    リンク検出部
１０８    リモコンＩＦ部
１２０    認証情報部
２００    副端末装置
２０１    ＣＡＴＶチューナ部
２０２    復調部
２０３    パケット分離部
２０６    ＣＡＳモジュール部
２０４    デスクランブル部
２０５    デコード部
２０７    端末装置制御部
２０８    ネットワーク部
２０９    リンク検出部
２０８    リモコンＩＦ部
２２０    認証情報部
３００    宅内ネットワーク
１０００    宅内受信端末システム
Ｌｃａｔｖ    ケーブルテレビ回線
Ｌｌａｎ    ＬＡＮ回線
Ｂｃａｔｖ    ケーブルテレビ放送局
【図１】
2008271363.tif 000003
【図２】
2008271363.tif 000004
【図３】
2008271363.tif 000005
【図４】
2008271363.tif 000006
【図５】
2008271363.tif 000007